(57)【要約】【課題】防災システムを構成する装置が簡素であり、防災システムの消費電流を低減することができ、また、コストが安価である防災システムおよび受信装置を提供することを目的とするものである。【解決手段】防災に関する所定情報を検出して、デジタルコードを送信する送信装置と、防災における被制御機器である受信装置であって、上記送信装置からデジタルコードを受信する受信手段を具備し、上記送信装置に信号を送信する機能を具備しない受信装置とを有する防災システムである。【選択図】図２
2007264888.tif 000002
【特許請求の範囲】
【請求項１】
防災に関する所定情報を検出し、デジタルコードを送信する送信装置と；
防災における被制御機器である受信装置であって、上記送信装置からデジタルコードを受信する受信手段を具備し、上記送信装置に信号を送信する機能を具備しない受信装置と；
を有することを特徴とする防災システム。
【請求項２】
請求項１において、
上記送信装置は、所定のデジタルコードを複数回送信する送信装置であり、
上記受信装置は、上記送信装置から同一のデジタルコードを少なくとも２回受信すると、この受信したデジタルコードは、正常なデジタルコードであると判断し、上記送信装置から同一のデジタルコードを１回のみ受信したデジタルコードは異常なデジタルコードであると判断する装置であることを特徴とする防災システム。
【請求項３】
請求項１において、
上記送信装置は、自己復旧する感知器であり、しかも、自己復旧した場合、自己復旧した旨を上記所定のデジタルコードに含めて送信する装置であることを特徴とする防災システム。
【請求項４】
請求項１において、
上記送信装置は、火災感知器、ガス漏れ感知器、火災発信機のうちの少なくとも１つであり、また、上記受信装置は、警報用としての音響装置、発光装置、振動装置、表示装置、移報装置のうちの少なくとも１つの装置であることを特徴とする防災システム。
【請求項５】
請求項１において、
上記送信装置または上記受信装置は、自己が作動するための電源を具備していることを特徴とする防災システム。
【発明の詳細な説明】
【技術分野】
【０００１】
本発明は、防災システムに関する。
【背景技術】
【０００２】
従来の住宅向けの火災警報設備では、ブザー鳴動によって火災警報を行う自己完結型の火災警報器を用い、住宅の各部屋に火災警報器を設けるとともに、相互に接続することによって、一斉に火災警報を行う（たとえば、特許文献１参照）。
【特許文献１】特開２００２−０７４５３５号公報
【発明の開示】
【発明が解決しようとする課題】
【０００３】
上記従来の火災警報器を相互に接続するシステムでは、各火災警報器に、受信回路と送信回路とが組み込まれているので、コスト的に負担が大きいという問題がある。
【０００４】
また、上記従来システムでは、各火災警報器に、受信回路と送信回路とが組み込まれているので、装置構成が複雑であり、また、不必要な消費電流を消費しているという問題がある。
【０００５】
また、上記従来の火災警報器を用いるシステムでは、火災を検出する場所と、警報を発する場所とが同じであるので、住宅等に、機能に合わせた配置ができないという問題がある。
【０００６】
本発明は、装置構成が簡素であり、消費電流を低減することができる防災システムを提供することを目的とするものである。
【課題を解決するための手段】
【０００７】
本発明は、防災に関する所定情報を検出して、デジタルコードを送信する送信装置と、防災における被制御機器である受信装置であって、上記送信装置からデジタルコードを受信する受信手段を具備し、上記送信装置に信号を送信する機能を具備しない受信装置とを有する防災システムである。
【発明の効果】
【０００８】
本発明によれば、防災システムの装置構成が簡素であり、また、消費電流を低減することができるという効果を奏する。
【発明を実施するための最良の形態】
【０００９】
発明を実施するための最良の形態は、以下の実施例である。
【実施例１】
【００１０】
図１は、本発明の実施例である無線式防災システム１００を示すブロック図である。
【００１１】
無線式防災システム１００は、送信装置Ｔと、受信装置Ｒとを有する。
【００１２】
送信装置Ｔは、火災感知器ＳＥａと、ガス漏れ感知器ＳＥｂと、火災発信機ＳＥｃとによって構成されている。なお、送信装置Ｔは、火災感知器ＳＥａ、ガス漏れ感知器ＳＥｂ、火災発信機ＳＥｃのうちの少なくとも１つによって構成されていれば足りる。つまり、送信装置Ｔは、防災に関する所定情報を検出し、検出した情報を送信する機器である。
【００１３】
火災感知器ＳＥａは、煙感知器や熱感知器等である。ガス漏れ感知器ＳＥｂは、都市ガスやＬＰガスの検出素子を備えた感知器である。火災発信機ＳＥｃは、火災の発見者が手動で操作して火災警報するための押しボタン装置である。
【００１４】
受信装置Ｒは、音響装置２０と、発光装置３０と、振動装置４０とによって構成されている。なお、受信装置Ｒは、警報用としての音響装置２０、発光装置３０、振動装置４０、表示装置、移報装置のうちの少なくとも１つによって構成されていれば足りる。つまり、受信装置Ｒは、防災における被制御機器である。
【００１５】
音響装置２０は、たとえばブザーでよいが、音声警報することができる装置であることが好ましい。発光装置３０は、強い光の点滅によって警報するいわゆるストロボ警報装置である。振動装置４０は、振動を人体に感じさせて警報するいわゆるバイブレータである。
【００１６】
また、送信装置Ｔまたは受信装置Ｒは、自己が作動するための電源を具備し、送信装置Ｔと受信装置Ｒとの間は、有線または無線で接続されている。
【００１７】
図２は、防災システム１００に使用されている火災感知器ＳＥａを示すブロック図である。
【００１８】
火災感知器ＳＥａは、火災検出部１１と、電池１２と、電源回路１３と、アンテナ１４と、送信回路１５と、電圧監視回路１６と、制御回路１７と、記憶部１８と、表示灯１９とを有し、伝送回路として受信回路を有しない。つまり、火災感知器ＳＥａには、受信回路が設けられておらず、物理現象を検出する検出部分と、この検出された物理現象を送信する送信回路とのみが設けられている。
【００１９】
電圧監視回路１６は、電源供給の有無を確認する。制御回路１７は、マイコン等によって構成されている。記憶部１８は、必要なデータを保持するメモリである。表示灯１９は、点灯・点滅によって火災発報や電源電圧低下の状態を表示する。
【００２０】
ガス漏れ感知器ＳＥｂは、火災感知器ＳＥａにおいて、火災検出部１１の代わりに、ガス検出部等が設けられている機器である。また、火災発信機ＳＥｃは、火災検出部１１の代わりに、押しボタン操作を検出するスイッチ入力部が設けられている機器である。
【００２１】
図３は、防災システム１００に使用されている音響装置２０を示すブロック図である。
【００２２】
音響装置２０は、受信装置Ｒの例であり、送信回路を有してはいない。また、音響装置２０は、アンテナ２１と、受信回路２２と、制御部２３と、記憶部２４と、電源回路２５と、電池２６と、電圧監視回路２７と、駆動回路２８と、スピーカ２９と、表示灯２０１とを有する。
【００２３】
受信回路２２は、送信装置Ｔからの信号を受信する。駆動回路２８は、音響鳴動を駆動し、音声の場合、音声ＩＣ等によって構成されている。スピーカ２９の代わりに、ブザー等を使用するようにしてもよい。表示灯２０１は、点灯・点滅によって、駆動中や電源電圧低下の状態を表示する。
【００２４】
発光装置３０は、音響装置２０において、駆動回路２８の代わりに、発光用の駆動装置が使用され、スピーカ２９の代わりに、ストロボ等の発光部を使用している装置である。
【００２５】
振動装置４０は、音響装置２０において、駆動回路２８の代わりに、振動部を使用した装置である。
【００２６】
つまり、無線式防災システム１００は、デジタルコードを送信する送信装置と、上記送信装置からデジタルコードを受信する受信手段を具備し、上記送信装置に信号を送信する機能を具備しない受信装置とを有する防災システムの例である。なお、受信装置Ｒが送信装置Ｔに送信しない信号は、デジタルコード、オン／オフ信号である。
【００２７】
そして、送信装置Ｔは、所定のデジタルコードを複数回送信する送信装置である。また、受信装置Ｒは、送信装置Ｔから同一のデジタルコードを少なくとも２回受信すると、この受信したデジタルコードは、正常なデジタルコードであると判断し、送信装置Ｔから同一のデジタルコードを１回のみ受信したデジタルコードは異常なデジタルコードであると判断する。
【００２８】
さらに、送信装置Ｔとしての火災感知器ＳＥａ、ガス漏れ感知器ＳＥｂは、自己復旧する感知器であり、しかも、自己復旧した場合、自己復旧した旨を上記所定のデジタルコードに含めて送信する装置である。
【００２９】
次に、実施例１の動作について説明する。
【００３０】
送信装置Ｔとしてのたとえば火災感知器ＳＥａが火災を感知すると、受信装置Ｒとしての火災信号を、送信回路１５、アンテナ１４を介して、音響装置２０、発光装置３０、振動装置４０に送信する。これによって、たとえば、音響装置２０は、アンテナ２１、順回路２２を介して、上記火災信号を受信し、制御部２３が駆動回路２８を介して、スピーカ２９が火災の警報を行う。
【００３１】
ここで、送信装置Ｔとしての火災感知器ＳＥａは、送信のみ実行し、受信を行わないので、受信動作に関する消費電流が発生せず、また、受信回路を設ける必要がないので、この分のコストを削減することができる。
【００３２】
一方、受信装置Ｒとしての音響装置２０、発光装置３０、振動装置４０が、送信を行わないので、送信動作に関する消費電流が発生せず、また、送信回路を設ける必要がないので、この分のコストを削減することができる。
【００３３】
ところで、送信装置Ｔとしての火災感知器ＳＥａ、ガス漏れ感知器ＳＥｂ、火災発信機ＳＥｃは、火災信号等、デジタルコードを送信する場合、同じ信号を少なくとも複数回送信する。また、受信装置Ｒとしての音響装置２０、発光装置３０、振動装置４０は、送信装置Ｔから同一のデジタルコードを少なくとも２回受信すると、この受信したデジタルコードは、正常なデジタルコードであると判断し、送信装置Ｔから同一のデジタルコードを１回のみ受信したデジタルコードは異常なデジタルコードであると判断する。これによって、送信装置Ｔからの送信信号が確実に受信装置Ｒに送信され、送信装置Ｔからの送信信号を受信装置Ｒが確実に受信することができる。
【００３４】
さらに、送信装置Ｔとしての火災感知器ＳＥａ、ガス漏れ感知器ＳＥｂが、自己復旧した場合、送信装置Ｔが自己復旧した旨を、送信装置Ｔが、上記デジタルコードに含めて送信する。したがって、送信装置Ｔが自己復旧した状態を、受信装置Ｒに確実に知らせることができる。
【００３５】
上記実施例によれば、たとえば、火災感知器を送信専用端末として使用し、音響装置を受信専用端末として使用することができるので、防災システム１００の装置構成が簡素であり、また、消費電流を低減することができる。
【００３６】
また、上記実施例によれば、自己完結型の火災警報器のように火災感知器かつ音響装置である必要がなく、たとえば火災感知器に音響装置という余分な機能を具備する必要がなく、また、住宅等に、機能に合わせた配置が可能である。
【００３７】
さらに、上記実施例において、各機器が独自の電源（電池）を有していれば、電源線接続を省略することができるので、接続作業が不要である。同様に、上記実施例において、上記各機器における信号伝送を無線式とすれば、各機器を、天井面や壁面に設置すれば足り、上記各機器の取り替えや配置替え等、作業性が格段に向上する。すなわち、電池式かつ無線式であれば、各機器への配線作業は全く不要であり、かつ、自由に配置することができ、素人でも扱い易いシステムとなる。
【図面の簡単な説明】
【００３８】
【図１】本発明の実施例１である無線式防災システム１００を示すブロック図である。
【図２】防災システム１００に使用されている火災感知器ＳＥａを示すブロック図である。
【図３】防災システム１００に使用されている音響装置２０を示すブロック図である。
【符号の説明】
【００３９】
１００…無線式防災システム、
Ｔ…送信装置、
ＳＥａ…火災感知器、
１１…火災検出部、
１５…送信回路、
１６…電圧監視回路、
１７…制御部、
１９…表示灯、
ＳＥｂ…ガス漏れ検知器、
ＳＥｃ…火災発信機、
Ｒ…受信装置、
２０…音響装置、
２１…アンテナ、
２２…受信回路、
２３…制御部、
２７…電圧監視回路、
２８…駆動回路、
２９…スピーカ、
３０…発光装置、
４０…振動装置。
【図１】
2007264888.tif 000003
【図２】
2007264888.tif 000004
【図３】
2007264888.tif 000005